【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
コントローラおよびメディア記録器を有するシステムであって：
前記コントローラは、部分的にエンコードされたコンテンツからのメディア・コンテンツの複製を可能にし；
前記メディア記録器は、前記コントローラに結合され、該メディア記録器以外の装置によって読み取り可能なメディアにメディア・コンテンツを記録するために、前記部分的にエンコードされたコンテンツのエンコードを完成させる変調プロセスを含む、
システム。
【請求項２】
前記コントローラは家庭内コンピュータ装置およびセットトップボックスのうちの一方を含む、請求項１記載のシステム。
【請求項３】
前記メディア記録器が、前記部分的にエンコードされたコンテンツをエンコードするために、8-to-16変調、8-to-12変調および1-to-7パリティ保存変調のうちの一つを含む、請求項１記載のシステム。
【請求項４】
前記部分的にエンコードされたコンテンツ内に透かしを埋め込む透かし機能をさらに有する、請求項１記載のシステム。
【請求項５】
前記メディア・コンテンツが記録されている各メディアの識別情報のために、タグ付け情報に基づくシリアル番号付けをさらに含む、請求項１記載のシステム。
【請求項６】
前記シリアル番号付けが、前記メディア上にメディア・コンテンツを記録する際の修正のために、選択された諸セクタを同定するよう構成されている、請求項５記載のシステム。
【請求項７】
前記選択された諸セクタが、前記メディア上にメディア・コンテンツを記録するときに、データ遷移のタイミングをずらすことによってデータ内容を選択的に変えることによって修正されて、前記メディア上に種々のデータ・パターンを与える、請求項６記載のシステム。
【請求項８】
前記選択された諸セクタが、メディア・コンテンツを記録する際に、所望のデータ・パターンで置き換えられる、請求項７記載のシステム。
【請求項９】
小売者や消費者がCSS鍵へのアクセスをもつ必要なしに、前記コンテンツのデータ・ストリームを部分的にエンコードするのに先立ってCSS暗号化を提供するコンテンツ・スクランブリング・システム（CSS）のコピー・プロテクト暗号化装置をさらに有する、請求項１記載のシステム。
【請求項１０】
前記コントローラが消費者小売設備に関連付けられている、請求項１記載のシステム。
【請求項１１】
前記メディア記録器がネットワークに接続されている、請求項１記載のシステム。
【請求項１２】
前記コントローラが、前記部分的にエンコードされたコンテンツを、前記メディア記録器の複数の書き込みヘッドに並列に、シリアル・ストリーミングすることによって送る、請求項１記載のシステム。
【請求項１３】
メディア記録器を有する装置であって：
該メディア記録器は、受領された部分的にエンコードされたコンテンツを変調して部分的にエンコードされたコンテンツのエンコードを完成させ、前記メディア記録器以外の装置によって読み取り可能なメディア上に記録するためのメディア・コンテンツを導出する、
装置。
【請求項１４】
前記メディア・コンテンツが記録される前記メディアがブランク・ディスクである、請求項１３記載の装置。
【請求項１５】
前記変調が、前記部分的にエンコードされたコンテンツをエンコードするための、8-to-16変調、8-to-12変調および1-to-7パリティ保存変調のうちの一つを含むプロセスを含む、請求項１３記載の装置。
【請求項１６】
前記メディア・コンテンツを前記メディア上に記録するときに、タグ付け情報に従って透かしを埋め込む透かし機能をさらに有する、請求項１３記載の装置。
【請求項１７】
前記メディア・コンテンツが記録されている各メディアの識別情報のために、タグ付け情報に基づいてシリアル番号付けをするよう構成されているシリアル番号付けをさらに含む、請求項１３記載の装置。
【請求項１８】
前記シリアル番号付けが、前記メディア上に前記メディア・コンテンツを記録する際の修正のために、選択された諸セクタを同定するよう構成されている、請求項１７記載の装置。
【請求項１９】
前記選択された諸セクタが、前記メディア上でのデータ遷移のタイミングをずらすことによってデータ内容を選択的に変えることによって修正されて、前記メディア上に種々のデータ・パターンを与える、請求項１８記載の装置。
【請求項２０】
前記選択された諸セクタが、前記メディアの記録の際に、所望のデータ・パターンで置き換えられる、請求項１９記載の装置。
【請求項２１】
小売者や消費者がCSS鍵へのアクセスをもつ必要なしに、前記コンテンツのデータ・ストリームを部分的にエンコードするのに先立ってCSS暗号化を提供するコンテンツ・スクランブリング・システム（CSS）のコピー・プロテクト暗号化をさらに有する、請求項１３記載の装置。
【請求項２２】
前記メディア記録器が消費者小売設備に関連付けられている、請求項１３記載の装置。
【請求項２３】
前記メディア記録器がセットトップボックスに含められている、請求項１３記載の装置。
【請求項２４】
前記部分的にエンコードされたコンテンツのデータ・ストリームが、前記メディア記録器の複数の書き込みヘッドに並列に、シリアル・ストリーミングされる、請求項１３記載の装置。
【請求項２５】
部分的にエンコードされたコンテンツ・データ・ストリームを取得する段階と；
前記部分的にエンコードされたコンテンツ・データ・ストリームを、メディアに記録するサイトで変調して、前記部分的にエンコードされたコンテンツ・データ・ストリームが完全にエンコードされたコンテンツとなるようにする段階と；
メディア上に、該メディアが標準的な設備によって読み取り可能であるように、前記完全にエンコードされたコンテンツを記録する段階とを有する、
方法。  
【請求項２６】
前記メディアとして空のDVDを使うことをさらに含む、請求項２５記載の方法。
【請求項２７】
前記部分的にエンコードされたコンテンツ・データ・ストリームをエンコードするために、8-to-16変調、8-to-12変調および1-to-7パリティ保存変調のうちの一つを使って前記部分的にエンコードされたコンテンツ・データ・ストリームを変調することをさらに含む、請求項２５記載の方法。
【請求項２８】
前記部分的にエンコードされたコンテンツ・データ・ストリーム内に透かしを埋め込む段階をさらに有する、請求項２５記載の方法。
【請求項２９】
前記メディアにシリアル番号付けすることをさらに含む、請求項２５記載の方法。
【請求項３０】
シリアル番号付けの一部として、前記メディア上にコンテンツを記録する際の修正のために、選択された諸セクタを同定することをさらに含む、請求項２９記載の方法。
【請求項３１】
前記選択された諸セクタを、前記メディア上のデータ遷移のタイミングをずらすことによってデータ内容を選択的に変えることによって修正し、前記メディア上に種々のデータ・パターンを与えることをさらに含む、請求項２９記載の方法。
【請求項３２】
前記選択された諸セクタを、前記メディアに記録する際に、所望のデータ・パターンで置き換えることをさらに含む、請求項２９記載の方法。
【請求項３３】
コンテンツ・スクランブリング・システム（CSS）のコピー・プロテクトを用いて暗号化されている部分的にエンコードされたコンテンツ・データ・ストリームを取得し、小売者や消費者がCSS鍵へのアクセスをもつ必要なしにCSS暗号化を提供することをさらに含む、請求項２５記載の方法。
【請求項３４】
前記部分的にエンコードされたコンテンツ・データ・ストリームを、メディア・バーナーの複数の書き込みヘッドに並列に、シリアル・ストリーミングすることをさらに含む、請求項２５記載の方法。
【請求項３５】
メディア記録器を含む装置であって、該メディア記録器は、受領された部分的にエンコードされたコンテンツを変調して部分的にエンコードされたコンテンツのエンコードを完成させ、前記メディア記録器以外の装置によって読み取り可能なメディア上に記録するためのメディア・コンテンツを導出し、前記部分的にエンコードされたコンテンツが前記記録器によって受領されるのは、コンテンツ・スクランブリング・システム（CSS）のコピー・プロテクト暗号化および先進アクセス・コンテンツ・システム（AACS:  Advanced  Access  Content  System）のコピー・プロテクト暗号化のうちの一方をされてであり、それにより小売者や消費者が暗号鍵へのアクセスをもつ必要なしに、前記部分的にエンコードされたコンテンツ・データ・ストリームにコピー・プロテクト暗号化を提供する、装置。